(57)【要約】【課題】  居室空間の広さを十分に確保することができるとともに、収納または居室として使用が可能な空間を上下階方向に配設した多層構造体を有する多層型居住空間付き建物を提供することを目的とする。【解決手段】  建物１は、上下階からなる二層構造体１０と、多層階からなる多層構造体２０とから構成されている。二層構造体１０は、１階と２階とから構成され、多層構造体２０は、０．５階と、１．５階と、２．５階とから構成されている。多層構造体２０は、建築基準法で規制された高さの限度内であり、二層構造体１０の屋根の高さよりも高い構成となっている。二層構造体１０と多層構造体２０には、後述する複数の階段が設けられており、この階段を利用して両者の構造体を行き来することができる。【選択図】  図１
2009263898.tif 000002
【特許請求の範囲】
【請求項１】
上下階に複数の居室を配置した多層型収納空間付き建物において、
上下階に居室空間を設けた二層構造体と、
複数の居室または収納空間が多層構造となった多層構造体と、
を併設してなることを特徴とする多層型収納空間付き建物。
【請求項２】
前記多層構造体は、少なくとも３層構造からなり、該３層構造の最下層には土間が設けられていることを特徴とする請求項１に記載の多層型収納空間付き建物。
【請求項３】
前記多層構造体は、少なくとも３層構造からなり、該３層構造の最上層には小屋裏が設けられていることを特徴とする請求項１に記載の多層型収納空間付き建物。
【請求項４】
前記小屋裏の天井の高さは、前記二層構造体の居室の天井の高さよりも高いことを特徴とする請求項３に記載の多層型収納空間付き建物。
【請求項５】
前記二層構造体及び前記多層構造体は、外断熱が施されていることを特徴とする請求項１から４のいずれか１項に記載の多層型収納空間付き建物。
【請求項６】
前記二層構造体及び前記多層構造体は、基礎断熱が施されていることを特徴とする請求項１から５のいずれか１項に記載の多層型収納空間付き建物。
【発明の詳細な説明】
【技術分野】
【０００１】
本発明は、収納空間を上下階方向に備えた多層型収納空間付き建物に関し、特に、異なる多層型の収納空間を備えた多層型収納空間付き建物に関する。
【背景技術】
【０００２】
従来の一戸建て住宅は上下階から構成され、各階に居住空間や収納空間が配置されていることが一般的である。特に、収納空間は押入れや天袋、納戸等として配置されていることが多く、近年では床下空間を利用した床下収納庫や屋根裏収納などが配置されている。
【０００３】
しかしながら、近年において家族構成や生活パターンの変化と共に、住戸内にも家具その他の多くの物品が揃えられ、また、その使用形態も季節等に応じて多様化していることなどから、必要に応じてこれらの物品を建物内に収納しておくための大きな収納空間を有する多層型収納付き建物の提供が要請されている。
【０００４】
このような要請に応えるべく、例えば、特許文献１に開示されるような多層型収納付き建物が提案されている。
【０００５】
この特許文献１で提案されている多層型収納付き建物は、建物本体内に室内階段を設け、この室内階段に沿って上下階方向に多層構造の複数の収納空間を設けるようにしたものである。この多層型収納付き建物によれば、室内階段に沿って上下階方向に多層構造の複数の収納空間を設けるようにしたため、室内階段及び収納空間の平面スペースがコンパクトになり、居住空間を大きくすることができる。
【特許文献１】特開２００２−４５９６号公報
【発明の開示】
【発明が解決しようとする課題】
【０００６】
しかしながら、特許文献１の多層型収納付き建物によれば、各居室に設けられる収納空間を取り除くことで、居室を広くし、一方で、収納空間を多層構造として建物本体内に配置するようにしているが、多層構造として建物本体内に配置される収納空間は、建物の中央に配置されて、隣り合う居室との出入りを可能とするために、各フロアの部屋を分断する形になり、居室のスペースを制約してしまうという問題がある。
【０００７】
また、予め収納空間として配置されているために、収納以外の用途に利用することができず、居住者の家族形態によっては、十分に使いこなすことができない場合もある。
【０００８】
本発明は係る問題に鑑みてなされたものであり、居室空間の広さを十分に確保することができるとともに、収納または居室として使用が可能な空間を上下階方向に配設した多層構造体を有する多層型収納空間付き建物を提供することを目的とする。
【課題を解決するための手段】
【０００９】
上記目的を達成するために、本発明の多層型収納空間付き建物は、上下階に複数の居室を配置した多層型収納空間付き建物において、上下階に居室空間を設けた二層構造体と、複数の居室または収納空間が多層構造となった多層構造体と、を併設してなることを特徴とする。
【００１０】
また、本発明の多層型収納空間付き建物は、前記多層構造体は、少なくとも３層構造からなり、該３層構造の最下層には土間が設けられていることを特徴とする。
【００１１】
また、本発明の多層型収納空間付き建物は、前記多層構造体は、少なくとも３層構造からなり、該３層構造の最上層には小屋裏が設けられていることを特徴とする。
【００１２】
また、本発明の多層型収納空間付き建物は、前記小屋裏の天井の高さは、前記二層構造体の居室の天井の高さよりも高いことを特徴とする。
【００１３】
また、本発明の多層型収納空間付き建物は、前記二層構造体及び前記多層構造体は、外断熱が施されていることを特徴とする。
【００１４】
さらに、本発明の多層型収納空間付き建物は、前記二層構造体及び前記多層構造体は、基礎断熱が施されていることを特徴とする。
【発明の効果】
【００１５】
本発明によれば、居室が配置された二層構造体とは別に設けられた多層構造体には、居室または収納空間として利用できる空間が配置されており、居住者の家族構成や生活パターンに応じてそれぞれの空間の利用形態を変えることが可能である。
【発明を実施するための最良の形態】
【００１６】
次に、図面を参照して、本発明の実施形態に係る多層型収納空間付き建物について説明する。
図１は、本実施形態に係る多層型収納空間付き建物の立面図である。
図１に示すように、本実施形態に係る多層型収納空間付き建物１は、上下階からなる二層構造体１０と、多層階からなる多層構造体２０とを併設した構成からなっている。なお、この二層構造体１０および多層構造体２０は、在来工法を用いて構築され、多層構造体２０の床構成についてはツーバイフォー工法を取り入れている。ここで、二層構造体１０は、１階と２階とから構成され、多層構造体２０は、０．５階と、１．５階と、２．５階とから構成されている。
【００１７】
建物１の二層構造体１０および多層構造体２０は、ともに建築基準法で規制される高さ制限の範囲内で建築されるものであるが、多層構造体２０の高さは、二層構造体１０の屋根の高さよりも高い構成となっている。二層構造体１０と多層構造体２０には、後述する複数の階段が設けられており、この階段を利用して両者の構造体を行き来することができるようになっている。
【００１８】
二層構造体１０は、居室１１，１２，１３，１４が配設されており、これらの居室１１〜１４は、リビング、和室、寝室といった広いスペースを必要とする居室として利用する。この居室１１〜１４には、キッチン・洗面所・浴室といった水回りの空間が配設される。また、図示しないが、居室１１〜１４には、クローゼットや押入れ等の収納空間を設けてもよく、また、居室１１〜１４を仕切り壁で仕切ることなく、開放的な居室空間としても良い。
【００１９】
多層構造体２０は、本実施形態の一例として示すように、最下層は土間２１（０．５階）、中間層はクローク２２（１．５階）、最上層は小屋裏２３（２．５階）といった３層構造となっている。
【００２０】
この多層構造体２０の最下層となる土間２１の床は、二層構造体１０の居室１１の床よりも低い位置となっており、土間２１の天井は、居室１１の天井よりも低い構造となっている。中間層のクローク２２の床は、居室１１の天井よりも低い位置であり、クローク２２の天井は、居室１１の天井よりも高い位置にある。最上層２０の小屋裏２３の床は、居室１２〜１４の床よりも高く、小屋裏２３の天井も居室１２〜１４の天井よりも高い位置となっている。
【００２１】
また、土間２１の床が二層構造体１０の居室１１の床より低い位置となっていることから、この段差を利用した収納空間１５が居室１１の床下に構成されている。この収納空間１５へは土間２１の床付近から居室１１方向に向かって物品を収納することができるため、物品の出し入れが容易である。
【００２２】
また、１階の居室１１から１．５階のクローク２２へ上がる階段Ｓ３と１．５階のクローク２２から２階の居室１３へ上がる階段Ｓ４の途中には踊り場２４が設けられている。なお、この踊り場２４に連なるクローク２２も多目的な空間として利用することもできる。
【００２３】
なお、建物１の基礎部分は、基礎の外周に断熱材を施工することによって基礎ごと断熱する、いわゆる基礎断熱工法によって外気との断熱を図っており、建物１の基礎部分以外の外周は、断熱材で建物１全体を覆う、いわゆる外断熱工法によって外気との断熱を図っている。これにより、冬の寒さはもちろん、厳しい暑さが続く夏の冷房にも、高い断熱性能を発揮させることができ、土間２１、クローク２２あるいは小屋裏２３においても快適に過ごすことができる。
【００２４】
次に、図２〜図４を参照して、各階の構成について説明する。
図２は、０．５階の土間２１および１階の居室１１の構成を示した平面図である。
図２に示すように、二層構造体１０には、リビング１０１と、キッチン１０２と、和室１０３と、トイレ１０４と、洗面所１０５と、浴室１０６とが設けられている。そして、リビング１０１には、１．５階のクローク２２への昇降用の階段Ｓ３が設けられており、キッチン１０２には、土間２１への昇降用の階段Ｓ２が設けられている。
【００２５】
また、多層構造体２０には、土間２１と、玄関２０１と、収納空間２０２とが設けられている。土間２１へは、玄関２０１とキッチン１０２とから入出可能となっている。なお、玄関２０１と土間２１は、階段Ｓ１によって昇降するようにしているが、この階段Ｓ１に変えて、スロープとしても良い。収納空間２０２はリビング１０１側に出入口があり、必要に応じてこの収納空間２０２内にリビング１０１側から家具その他の物品を収納することが可能になっている。
【００２６】
土間２１は、住宅外で使用する物を保管する場所に適した空間である。例えば、土間２１には、自転車やアウトドア用品、ガーデニング用品といった物を収納することができ、また、これらのメンテナンス等に利用するスペースとして使用することができる。このため、玄関２０１から土間２１へは、そのまま土足で直接入ることができるようにしている。
【００２７】
図３は、１．５階の構成を示した平面図である。
１．５階は、１階の居室１１から１．５階へ通じる昇降用の階段Ｓ３と、１．５階から２階の居室１２へ通じる階段Ｓ４と、踊り場２４と、クローク２２とから構成されている。このクローク２２へは、踊り場２４から入出可能となっている。なお、図３に示す二層構造体１０部分は、１階の天井部分を示したものである。
【００２８】
図４は、２階及び２．５階の構成を示した平面図である。
図４に示すように、二層構造体１０は、居室１２〜１４とトイレ１１０が配設されている。そして、多層構造体２０には、小屋裏２３と、居室１４から小屋裏２３への昇降用の階段Ｓ５が設けられている。二層構造体１０の２階部分の居室１２〜１４は、主に寝室や子供部屋といった家族の形態に応じて利用することができる。小屋裏２３は、いわゆる屋根裏部屋であり、二層構造体１０の天井よりも高いため、収納空間として十分な収納スペースを確保することができる。なお、この小屋裏２３を居室として利用することもできるが、この場合には、通常の居室よりも天井が高い分、開放的な空間として利用することができる。
【００２９】
以上の説明から、本実施形態に係る多層型収納空間付き建物は、多種多様に使用することができる居住空間が配設されており、居住者の家族形態に応じた利用の仕方が可能となる。二層構造体と多層構造体とによって構成されていることから、一方を居住空間とし、他方を収納空間または補助的な居住空間として利用することができる。また、各居住空間は、他の居住空間の広さを制約することのないように配置されているため、居室または収納空間として利用する場合にも十分な広さを確保することができる。
【００３０】
さらに、外断熱や基礎断熱による設計を行っているため、季節に応じて生じる暑さや寒さといった不便性を解消することができ、全ての居住空間で快適に過ごすことができる。
【図面の簡単な説明】
【００３１】
【図１】本発明の実施形態に係る多層型居住空間付き建物の構成を示した立面図である。
【図２】０．５階及び１階の構成を示した平面図である。
【図３】１．５階の構成を示した平面図である。
【図４】２階及び２．５階の構成を示した平面図である。
【符号の説明】
【００３２】
１    多層型収納空間付き建物
１０    二層構造体
１１〜１４  居室
２０    多層構造体
２１    土間
２２    クローク
２３    小屋裏
２４    踊り場
１０１    リビング
１０２    キッチン
１０３    和室
１０５    洗面所
１０６    浴室
１０４、１１０    トイレ
２０１    玄関
２０２    収納空間
Ｓ１〜Ｓ５    階段
【図１】
2009263898.tif 000003
【図２】
2009263898.tif 000004
【図３】
2009263898.tif 000005
【図４】
2009263898.tif 000006